(57)【要約】【課題】  片手で把持することができ、携帯に便利なウェットティシュ容器を提供する。【解決手段】  ウェットティシュ容器１０はウェットティシュ１を収納することができ、かつ片手で把持することができる形状を有している。このウェットティシュ容器１０は下方部１１と、下方部１１上に設けられた上方部１２とを有し、上方部１２の開口１３はキャップ１５により覆われている。キャップ１５は、コイルバネ１５ｃによって開方向へ付勢され、かつ上方部１２上に摺動自在に設けられた作動体２０により係止されている。【選択図】  図１
2005255221.tif 000002
【特許請求の範囲】
【請求項１】
ウェットティッシュを収納することができ、かつ使用者が片手で把持するウェットティッシュ容器において、
下方部と、
下方部との間でウェットティッシュを収納するとともに開口を有する上方部と、
上方部の開口を覆うとともに、揺動自在に設けられたキャップとを備えたことを特徴とするウェットティッシュ容器。
【請求項２】
上方部の開口のうち、キャップの揺動部にキャップを開とする弾性部材が設けられ、上方部の開口のうち、キャップの自由端側にキャップの自由端を係止する作動体が設けられていることを特徴とする請求項１記載のウェットティッシュ容器。
【請求項３】
作動体は上方部に対して摺動自在となっていることを特徴とする請求項２記載のウェットティッシュ容器。
【請求項４】
作動体は押圧した場合、上方部に対して降下することを特徴とする請求項２記載のウェットティッシュ容器。
【請求項５】
作動体は上方部と一体に設けられていることを特徴とする請求項２記載のウェットティッシュ容器。
【請求項６】
作動体は上方部と別体に設けられていることを特徴とする請求項２記載のウェットティッシュ容器。
【請求項７】
弾性部材はコイルバネからなることを特徴とする請求項２記載のウェットティッシュ容器。
【請求項８】
弾性部材は板バネからなることを特徴とする請求項２記載のウェットティッシュ容器。
【請求項９】
作動体はスプリングを介して上方部に取付けられていることを特徴とする請求項３記載のウェットティッシュ容器。
【請求項１０】
作動体とスプリングが一体に成形されていることを特徴とする請求項９記載のウェットティッシュ容器。
【請求項１１】
弾性部材はキャップ内に収納され、キャップに弾性部材を規制する規制突起を設けたことを特徴とする請求項２記載のウェットティッシュ容器。
【請求項１２】
作動体はその裏面に、上方部に係合する一対のスライドリブを有し、一対のスライドリブ間に上方部に係止されるスプリングが設けられていることを特徴とする請求項３記載のウェットティッシュ容器。
【請求項１３】
作動体の裏面とスプリングとの間に、所定の間隙が形成されていることを特徴とする請求項１２記載のウェットティッシュ容器。
【請求項１４】
一対のスライドリブの裏面とスプリングの裏面は略同一平面上に位置していることを特徴とする請求項１２記載のウェットティッシュ容器。
【請求項１５】
作動体の各スライドリブは、上方部に設けられたスライド溝に摺動自在に係合することを特徴とする請求項１２記載のウェットティッシュ容器。
【請求項１６】
一対のスライドリブ間に、補強リブが延びていることを特徴とする請求項１２記載のウェットティッシュ容器。
【請求項１７】
スプリングは一対のＳ字部を含むことを特徴とする請求項１２記載のウェットティッシュ容器。
【請求項１８】
スプリングの略中央部に、上方部に設けられたストッパ孔に嵌込まれるストッパが設けられていることを特徴とする請求項１２記載のウェットティッシュ容器。
【請求項１９】
作動体は上方部の上端面から落ち込む作動体用凹部内に配置されることを特徴とする請求項１２記載のウェットティッシュ容器。
【請求項２０】
上方部の開口周縁に周縁リブが設けられ、作動体用凹部の裏面と上方部の周縁リブの裏面は略同一平面上に位置していることを特徴とする請求項１９記載のウェットティッシュ容器。
【請求項２１】
各スライドリブに作動体用凹部の表面に摺動する摺動突起を設けたことを特徴とする請求項１９記載のウェットティッシュ容器。
【請求項２２】
作動体の各スライドリブは、作動体用凹部の側壁に設けられたスライド溝に摺動自在に係合することを特徴とする請求項１９記載のウェットティッシュ容器。
【請求項２３】
スプリングの略中央部に、作動体用凹部の表面に設けられたストッパ孔に嵌込まれるストッパが設けられていることを特徴とする請求項１９記載のウェットティッシュ容器。
【請求項２４】
上方部はその一側端部において、下方部の一側端部に回転自在に取付けられていることを特徴とする請求項１記載のウェットティッシュ容器。
【請求項２５】
作動体は上方部のうち、キャップの振動軸と反対側に設けられていることを特徴とする請求項２記載のウェットティッシュ容器。
【請求項２６】
作動体の表面に、使用者の親指が当たる凹部を設けたことを特徴とする請求項２記載のウェットティッシュ容器。
【請求項２７】
下方部内に、ウェットティッシュが収納された密閉袋を保持する保持リブを設けたことを特徴とする請求項１記載のウェットティッシュ容器。
【発明の詳細な説明】
【技術分野】
【０００１】
本発明はウェットティッシュを収納するウェットティッシュ容器に係り、とりわけウェットティッシュ容器を小型化して携帯することができるウェットティッシュ容器に係する。
【従来の技術】
【０００２】
従来より、ウェットティッシュを収納するウェットティッシュ容器として、開口を有する容器本体と、開口を覆うキャップとを有するものが知られている。このようなウェットティッシュ容器はトイレ又は机上等に載置して用いられる。使用にあたっては、開口を覆うキャップを開き、開口から容器本体内に積層されたウェットティッシュを一枚ずつ引出している。また、携帯用ウェットティッシュとして知られているものの多くは、プラスチックフィルムからなるピロー袋に収納され、開口部を覆って再粘着性が付与されたプラスチックフィルムブタが貼られている。
【発明の開示】
【発明が解決しようとする課題】
【０００３】
上述のように、ウェットティッシュ容器として開口を有する容器本体と、開口を覆うキャップとを有するものがある。またウェットティッシュ容器は全体としてトレイ又は机上等に載置できる程度の大きさ、具体的には書籍程度の大きさを有している。このような場合、ウェットティッシュ容器を片手で把持することができるピロー袋タイプのウェットティッシュ容器があるが、ピロー袋タイプのウェットティッシュ容器においては、プラスチックフィルムブタの再粘着性が低下して、密封性に問題が生じることがあり、さらにまた高級感に欠けることがある。
【０００４】
本発明はこのような点を考慮してなされたものであり、携帯に便利で、密封性に優れ、かつ高級感を有するウェットティッシュ容器を提供することを目的とする。
【課題を解決するための手段】
【０００５】
本発明は、ウェットティッシュを収納することができ、かつ使用者が片手で把持するウェットティッシュ容器において、下方部と、下方部との間でウェットティッシュを収納するとともに開口を有する上方部と、
上方部の開口を覆うとともに、揺動自在に設けられたキャップとを備えたことを特徴とするウェットティッシュ容器である。
【０００６】
本発明は、上方部の開口のうち、キャップの揺動部にキャップを開とする弾性部材が設けられ、上方部の開口のうち、キャップの自由端側にキャップの自由端を係止する作動体が設けられていることを特徴とするウェットティッシュ容器である。
【０００７】
本発明は、作動体は上方部に対して摺動自在となっていることを特徴とするウェットティッシュ容器である。
【０００８】
本発明は、作動体は押圧した場合、上方部に対して降下することを特徴とするウェットティッシュ容器である。
【０００９】
本発明は、作動体は上方部と一体に設けられていることを特徴とするウェットティッシュ容器である。
【００１０】
本発明は、作動体は上方部と別体に設けられていることを特徴とするウェットティッシュ容器である。
【００１１】
本発明は、弾性部材はコイルバネからなることを特徴とするウェットティッシュ容器である。
【００１２】
本発明は、弾性部材は板バネからなることを特徴とするウェットティッシュ容器である。
【００１３】
本発明は、作動体はスプリングを介して上方部に取付けられていることを特徴とするウェットティッシュ容器である。
【００１４】
本発明は、作動体とスプリングが一体に成形されていることを特徴とするウェットティッシュ容器である。
【００１５】
本発明は、弾性部材はキャップ内に収納され、キャップに弾性部材を規制する規制突起を設けたことを特徴とするウェットティッシュ容器である。
【００１６】
本発明は、作動体はその裏面に、上方部に係合する一対のスライドリブを有し、一対のスライドリブ間に上方部に係止されるスプリングが設けられていることを特徴とするウェットティッシュ容器である。
【００１７】
本発明は、作動体の裏面とスプリングとの間に、所定の間隙が形成されていることを特徴とするウェットティッシュ容器である。
【００１８】
本発明は、一対のスライドリブの裏面とスプリングの裏面は略同一平面上に位置していることを特徴とするウェットティッシュ容器である。
【００１９】
本発明は、作動体の各スライドリブは、上方部に設けられたスライド溝に摺動自在に係合することを特徴とするウェットティッシュ容器である。
【００２０】
本発明は、一対のスライドリブ間に、補強リブが延びていることを特徴とするウェットティッシュ容器である。
【００２１】
本発明は、スプリングは一対のＳ字部を含むことを特徴とするウェットティッシュ容器である。
【００２２】
本発明は、スプリングの略中央部に、上方部に設けられたストッパ孔に嵌込まれるストッパが設けられていることを特徴とするウェットティッシュ容器である。
【００２３】
本発明は、作動体は上方部の上端面から落ち込む作動体用凹部内に配置されることを特徴とするウェットティッシュ容器である。
【００２４】
本発明は、上方部の開口周縁に周縁リブが設けられ、作動体用凹部の裏面と上方部の周縁リブの裏面は略同一平面上に位置していることを特徴とするウェットティッシュ容器である。
【００２５】
本発明は、各スライドリブに作動体用凹部の表面に摺動する摺動突起を設けたことを特徴とするウェットティッシュ容器である。
【００２６】
本発明は、作動体の各スライドリブは、作動体用凹部の側壁に設けられたスライド溝に摺動自在に係合することを特徴とするウェットティッシュ容器である。
【００２７】
本発明は、スプリングの略中央部に、作動体用凹部の表面に設けられたストッパ孔に嵌込まれるストッパが設けられていることを特徴とするウェットティッシュ容器である。
【００２８】
本発明は、上方部はその一側端部において、下方部の一側端部に回転自在に取付けられていることを特徴とするウェットティッシュ容器である。
【００２９】
本発明は、作動体は上方部のうち、キャップの振動軸と反対側に設けられていることを特徴とするウェットティッシュ容器である。
【００３０】
本発明は、作動体の表面に、使用者の親指が当たる凹部を設けたことを特徴とするウェットティッシュ容器である。
【００３１】
本発明は、下方部内に、ウェットティッシュが収納された密閉袋を保持する保持リブを設けたことを特徴とするウェットティッシュ容器である。
【発明の効果】
【００３２】
以上のように本発明によれば、片手で把持することができ、操作性に優れるとともに密封性に優れ、かつ携帯に便利で高級感に富むウェットティッシュ容器を提供することができる。
【発明の実施の形態】
【００３３】
以下、図面を参照して本発明の実施の形態について説明する。
【００３４】
図１乃至図１２は、本発明によるウェットティッシュ容器の一実施の形態を示す図である。  図１乃至図１２に示すように、ウェットティッシュ容器１０は上部開口周縁を有し内部に空間が設けられた下方部１１と、下部開口周縁を有し内部に空間が設けられた上方部にとを備え、全体として長さ約１２ｃｍ、幅約１０ｃｍ、高さ約４ｃｍとなって、使用者が片手で把持することができるようになっている。
【００３５】
上方部１２には開口１３が形成され、この開口１３は上方部１２に揺動自在に設けられたキャップ１５によって覆われている。
【００３６】
このうち、下方部１１、上方部１２およびキャップ１５は、いずれもポリプロピレン製となっている。また、下方部１１、上方部１２およびキャップ１５の材質は他にポリエチレン、ＡＢＳ、ポリスチレン、ポリカーボネイトなど使用することができる。
【００３７】
また下方部１１と上方部１２とによって形成された内部空間内に、密封袋２によって密封されたウェットティッシュ１が収納されている。このウェットティッシュ１は多数積層されている。
【００３８】
次に、下方部１１および上方部１２について更に説明する。
【００３９】
下方部１１はその内部に、ウェットティッシュ１が収納された密閉袋２を保持する保持リブ１７、１７が設けられており、また下方部１１の一側に回転軸１１ａが設けられている。上方部１２は下方部１１の回転軸１１ａに係合する係合部１２ａを有し、上方部１２は、下方部１１の回転軸１１ａと上方部１２の係合部１２ａを中心として回転するようになっている。
【００４０】
さらに下方部１１の他側には係合突起１１ｂが設けられ、上方部１２はこの係合突起１１ｂに係止される係止突起１２ｂを有している。
【００４１】
このためウェットティッシュ１がなくなって密封袋２を交換する場合、上方部１２の開きリブ２６ａに指を掛け、下方部１１の側部に突設している引掛りリブ２６を持ちながら上方部１２を回転させて下方部１１を開とし、密封袋２を交換する。その後、上方部１２を閉じて係合突起１１ｂに係止突起１２ｂを係止するようになっている。
【００４２】
この場合、引掛りリブ２６は滑り止めとなるため、簡単に上方部１２と下方部１１を開くことができ、密封袋２の詰め替えが容易となる。
【００４３】
ところで、図１２（ａ）（ｂ）に示すように、下方部１１の回転軸１１ａには扇形状の周縁突部４６が設けられ（図１２（ｂ））、他方上方部１２の係合部１２ａには回転軸１１ａが嵌込まれる嵌合溝４５が形成されている。またこの係合部１２ａの嵌合溝４７には、回転軸１１ａの周縁突部４６に係合する突起４７ａが設けられている。
【００４４】
このため、下方部１１に対して上方部１２を回転軸１１ａと係合部に１２ａとを中心として回転させた場合、回転軸１１ａの周縁突部４６が嵌合溝４７内の突起４７ａに係合して、下方部１１に対する上方部１２の開度を規制している。
【００４５】
また、下方部１１の一側には、開孔２２を有する保持板２２ａが設けられ、この開孔２２内に保持ひもを通してウェットティッシュ容器１０を保持するようになっている。
【００４６】
また、上方部１２の開口１３を覆うキャップ１５は、下方部１１の保持板２２ａ側に位置する一対の揺動軸２１を中心として上方部１２に対して揺動自在に取付けられている。キャップ１５の自由端側には係合リブ１５ａが設けられているとともに、キャップ１５の内面には上方部１２の開口１３周縁に設けられた周縁リブ１３ａ外周に係合するキャップ１５側の周縁リブ１５ｂが設けられている。この場合、上方部１２の周縁リブ１３ａとキャップ１５の周縁リブ１５ｂとの間にパッキンを設けてもよい。
【００４７】
さらにキャップ１５の一方の揺動軸２１の周囲には、キャップ１５を開方向に付勢するコイルバネ（弾性部材）１５ｃが取付けられている（図６および図８（ａ）（ｂ）（ｃ）参照）。このコイルバネ１５ｃは、一端４０がキャップ１５側に固定され、他端４１が上方部１２側に固定され、上述のようにキャップ１５を常時、開方向に付勢している。
【００４８】
また、コイルバネ１５ｃはキャップ１５の後述するカバー２５内に収まっており、キャップ１５のカバー２５にコイルバネ１５ｃが外方へ飛び出すことを規制する規制突起１５ｅが設けられている。このようにキャップ１５に規制突起１５ｅを設けたことにより、キャップ１５が上方部に１２から外れても、コイルバネ１５ｃがキャップ１５の外方へ飛び出すことはない。このためコイルバネ１５ｃが外方に飛び出して使用者に傷つけることはない。
【００４９】
キャップ１５のコイルバネ１５ｃは、キャップ１５側のカバー２５により保護されている（図１参照）。この場合、キャップ１５のコイルバネ１５ｃの代わりに、合成樹脂製（又はゴム製）の板バネを用いてもよい。
【００５０】
次に図８（ａ）（ｂ）（ｃ）により、キャップ１５に対するコイルバネ１５ｃの取付構造について更に説明する。ここで図８（ａ）はコイルバネ１５ｃの取付構造を示す斜視図、図８（ｂ）は図８（ａ）のＢ部拡大図、図８（ｃ）はコイルバネ１５ｃの取付構造を示す側面図である。図８（ａ）（ｂ）（ｃ）に示すように、コイルバネ１５ｃはキャップ１５の振動軸２１周囲に取付けられており、上述のようにコイルバネ１５ｃはキャップ１５側のカバー２５内に収納されている。コイルバネ１５ｃの一端４０はコイルバネ１５ｃの内側に位置し、カバー２５内のうちキャップ１５の係合リブ１５ａ側へ延びる係止溝４４に係止されて固定されている。
【００５１】
またカバー２５には、規制突起１５ｅに隣接して開口４３が設けられ、コイルバネ１５ｃの他端４１は振動軸２１方向の外方に位置するとともに、開口４３から外方に延びて上方部１２に設けられた係止溝４５に係止されて固定されている。
【００５２】
この場合、コイルバネ１５ｃの他端４１は、コイル１５ｃの振動軸２１方向外方に位置するとともに、開口４３から外方へ延びかつ規制突起１５ｅにより規制される。このため上述のようにコイルバネ１５ｃは、全体として規制突起１５ｅにより外方への飛び出しが規制される。
【００５３】
さらに、上方部１２のうちキャップ１５の自由端側には、キャップ１５の係合リブ１５ａに係止する作動体２０が上方部１２に対して摺動自在に設けられている。図４（ａ）（ｂ）および図５（ａ）（ｂ）に示すように、作動体２０は上方部１２と別体に設けられ、かつ作動体２０の表面には、使用者が例えば親指を当てることができるよう凹面２０ａが形成されている。
【００５４】
また、作動体２０の裏面には、上方部１２に形成されたスライド溝３３内に嵌込まれて摺動する一対のスライドリブ２０ｂが設けられ、さらに一対のスライドリブ２０ｂ間にはスプリング２０ｄを介してストッパ２０ｃが設けられている。ここで図４（ａ）は作動体２０と上方部１２とを示す側断面図、図４（ｂ）は作動体の側面図、図５（ａ）は作動体２０の表面を示す斜視図、図５（ｂ）は作動体２０の裏面を示す斜視図である。
【００５５】
この作動体２０はポリアセタールまたはポリプロピレン、ポリカーボネイトなどからなり、また作動体２０のスプリング２０ｄは一対のＳ字部５０を含むポリアセタールまたはポリプロピレンからなる弾性帯状体からなっている。また作動体２０のストッパ２０ｃは上方部１２のストッパ孔２７内に嵌込まれ、上方部１２に固定されている。
【００５６】
図４（ａ）において作動体２０を親指で左方向へ移動させた場合、作動体２０はキャップ１５の係合リブ１５ａから外れ、これによりキャップ１５がコイルバネ１５ｃの力により開くようになっている。この場合、作動体２０から親指を離すと、作動体２０はスプリング２０ｄの力により右方向へ移動して元の位置まで復帰する。
【００５７】
また、キャップ１５をコイルバネ１５ｃの力に抗して、指で押し込んだ場合、係合リブ１５ａの傾斜面１５ｄが作動体２０と当接してこの作動体２０を図４の左方向へ移動させる。
【００５８】
そして係合リブ１５ａが作動体２０の下方へくると、作動体２０は再びスプリング２０ｄの力により右方向へ移動して元の位置まで復帰し、作動体２０がキャップ１５の係合リブ１５ａを係止するようになっている。
【００５９】
次に作動体２０について更に説述する。上述のように作動体２０の裏面には、上方部１２側のスライド溝３３（図７参照）内に嵌込まれて摺動する一対のスライドリブ２０ｂが設けられ、一対のスライドリブ２０ｂ間に弾性帯状体からなるスプリング２０ｄが設けられている。この場合、各スライドリブ２０ｂはその側方に、スライド溝３３内に嵌込まれる側方突部４９を有している。また一対のスライドリブ２０ｂおよびスプリング２０ｄは、いずれも作動体２０の裏面側にあって作動体２０と２層構造を形成する。このためスライドリブ２０ｂおよびスプリング２０ｄが作動体２０の側方へ大きく突出することはない。
【００６０】
また作動体２０の裏面とスプリング２０ｄとの間には、所定間隙３０が形成されている。スプリング２０ｄと作動体２０との間にこのような所定間隙３０が形成されているため、スプリング２０ｄのスプリング作用時にスプリング２０ｄと作動体２０との間で摩擦が生じることはなく、スプリング２０ｄのスプリング作用に支障が生じることはない。
【００６１】
さらに、一対のスライドリブ２０ｂの裏面とスプリング２０ｄの裏面は略同一平面上に位置しており、一対のスライドリブ２０ｂとスプリング２０ｄとの組合構造体の薄型化が達成される。
【００６２】
また、作動体２０の裏面に設けられた一対のスライドリブ２０ｂ間には、補強リブ３１が延びて一対のスライドリブ２０ｂの構造を補強している。さらに一対のスライドリブ２０ｂに連結されたスプリング２０ｄは上述のように一対のＳ字部５０からなり、ストッパ２０ｃは一対のＳ字部５０間、すなわちスプリング２０ｄの略中央部に設けられている。
【００６３】
ところで、作動体２０は上方部１２のうち上方部１２の上端面４８から下方へ落ち込む作動体用凹部３５内に配置され、この作動体用凹部３５内で摺動するようになっている。そしてスプリング２０ｄのストッパ２０ｃが嵌込まれるストッパ孔２７は作動体用凹部３５表面に形成されている（図７参照）。
【００６４】
また、作動体２０のスライドリブ２０ｂが嵌込まれるスライド溝３３は、作動体用凹部３５の側壁に形成され、スライドリブ２０ｂをスライド溝３３に嵌込むことにより、作動体２０が作動体用凹部３５内で摺動可能に保持される。
【００６５】
また作動体２０のスライドリブ２０ｂには、摺動突起３２が設けられ、作動体２０が作動体用凹部３５内を水平方向に移動する際、この摺動突起３２か作動体用凹部３５の表面上を摺動する。このようにスライドリブ２０ｂに摺動突起３２を設けたので、スライドリブ２０ｂおよびスプリング２０ｄを作動体用凹部３５の表面からわずかに浮せることができ、かつスライドリブ２０ｂを作動体用凹部３５の表面上で点接触させることができる。このため作動体用凹部３５内で、作動体２０のスライドリブ２０ｂをスムースに移動させることができる。
【００６６】
ところで作動体用凹部３５の裏面３６は、上方部１２の開口１３周縁に設けられた周縁リブ１３ａの裏面３７と同一平面上に位置している（図４（ａ）（ｂ）および図１１）。このように作動体用凹部３５の裏面３６と周縁リブ１３ａの裏面３７を同一平面上に配置することにより、ウェットティッシュ容器１０全体をコンパクトに形成することができる。
【００６７】
すなわち、作動体用凹部３５の裏面３６が周縁リブ１３ａの裏面３７より降下すると、ウェットティッシュ容器１０の内容積が小さくなってしまうことが考えられる。一方、作動体用凹部３５の裏面３６が周縁リブ１３ａの裏面３７より上昇してしまうと、作動体用凹部３５内の作動体２０が上方部１２から外方へ大きく突出してしまう。
【００６８】
従って、作動体用凹部３５の裏面３６と周縁リブ１３ａの裏面３７とを同一平面上に配置することにより、ウェットティッシュ容器１０の内容積の減少を抑え、かつ作動体２０の外方への突出を抑えることができる。
【００６９】
このように、下方部１１の開口周縁には、周縁リブ１１ｃが設けられ、この下方部１１の周縁リブ１１ｃは上方部１２の開口周縁内側に設けられたインナリブ１２ｃと係合して、下方部１１と上方部１２との密封性を維持している。なお、下方部１１の周縁リブ１１ｃとインナリブ１２ｃとの間にパッキンを設けて、密封性をより向上させても良い。
【００７０】
次に図９および図１０により、下方部１１内への密封袋２の収納状態について説明する。密封袋２は内部にウェットティッシュ１が収納されており、この密封袋２はその両端部に外方へ突出するヒートシール部３を有している。また密封袋２の開口は、剥離自由の剥離カバー４により覆われている。
【００７１】
下方部１１内には、密封袋２を動かないように保持する保持リブ１７、１７が設けられ、密封袋２の長さは保持リブ１７間の距離に対応している。また保持リブ１７は、下方部１１の周縁リブ１１ｃ内側に周縁リブ１１ｃから所定距離だけ離間して配置されている。
【００７２】
このため保持リブ１７、１７間に密封袋２を収納した場合、密封袋２は保持リブ１７、１７間で堅固に保持される。従ってウェットティッシュ容器１０を動かしても、下方部１１内で密封袋２が移動することはない。
【００７３】
さらに、密封袋２を保持リブ１７、１７間に収納した場合、密封袋２のヒートシール部３も保持リブ１７内に保持され、ヒートシール部３が保持リブ１７から突出することはない。このため下方部１１の保持リブ１７、１７間に密封袋２を収納し、その後下方部１１に対して上方部１２を回動させて閉じた場合でも、密封袋２の端部、とりわけヒートシール部３が下方部１１の周縁リブ１１ｃと上方部１２のインナリブ１２ｃとの間に挟まれることはない。
【００７４】
次にこのような構成からなる本実施の形態の作用について説明する。
【００７５】
まず、下方部１１の係合突起１１ｂから上方部１２の係止突起１２ｂを外し、上方部１２を回転軸１１ａおよび係合部１２ａを中心として開方向へ回動させる。次に下方部１１内部にウェットティシュ１が収納された密封袋２を収納する。このとき密封袋２を下方部１１の保持リブ１７，１７内に収納して密封袋２が下方部１１内で動かないようにする。
【００７６】
次に上方部１２を回転軸１１ａおよび係合部１２ａを中心として閉方向へ回動させ、下方部１１の係合突起１１ｂに上方部１２の係止突起１２ｂを係合させる。
【００７７】
使用にあたっては、使用者はウェットティシュ容器全体を片手で把持する。次に作動体２０の凹面２０ａ上に親指をのせ、作動体２０を図４の左方向へ移動させる。このときキャップ１５の係合リブ１５ａが作動体２０から外れ、キャップ１５がコイルバネ１５ｃにより開く。
【００７８】
この場合、使用者は、上方部１２の開口１３を介して、密封袋２内のウェットティシュ１を一枚ずつ引出すことができる。
【００７９】
ウェットティシュ１を所定量引出した後、使用者はキャップ１５を閉じる。このときキャップ１５の係合リブ１５ａに形成されている傾斜面１５ｄが作動体２０に当接して作動体２０をスプリング２０ｄの力に拡して図４の左方向へ移動させる。キャップ１５の係合リブ１５ａが作動体２０の下方へくると、作動体２０は再びスプリング２０ｄの力により図４の右方向へ移動して元の位置まで復帰し、作動体２０がキャップ１５の係合リブ１５ａを係止する。
【００８０】
このように本実施の形態によれば、使用者がウェットティシュ容器１０を片手で持ちながら親指で作動体２０を動かすだけで、キャップ１５を開とすることができる。このためキャップ１５を開いた後、開口１３からウェットティシュ１を一枚ずつ容易に引き出すことができる。従ってウェットティシュ容器１０の取扱いが容易となる。さらにウェットティシュ容器１０の小型化を図ることができるので、ウェットティシュ容器１０を衣服内に容易に収納することができる。
【００８１】
また上方部１２の開口１３を揺動自在のキャップ１５により覆って密封するので、再粘着性を有するフタにより開口部を覆うピロー袋タイプのウェットティッシュ容器に比べて、経年変化により密封性が低下することはない。またピロー袋タイプのウェットティッシュ容器に比べて高級感をもたせることができる。
【００８２】
なお、上記実施の形態において、作動体２０を上方部１２と別体に設けるとともに、作動体２０を上方部１２に対して摺動させる例を示したが、これに限らず、作動体２０を上方部１２に対して押圧させることによりキャップ１５の係合リブ１５ａと作動体２０との係合を解除してもよい。このように作動体２０を上方部１２に対して押圧自在となるよう構成した場合、作動体２０を上方部１２と一体に設けてもよく、作動体２０を上方部１２と別体に設けてもよい。
【００８３】
さらに作動体２０を上方部１２に対して薄肉部を介して、あるいは蛇腹部を介して設けてもよく、この場合は上方部１２に対して作動体２０を容易に押圧することができる。また作動体２０を上方部１２に対して軟質部材を介して設けてもよい。
【００８４】
また作動体２０の裏面に、ストッパ２０ｃを支持するスプリング２０ｄとして、一対のＳ字部を含む帯状体を用いた例を示したが、これに限らず弾性を有するものであれば、スプリング２０ｄの形状はどのようなものであってもよい。
【図面の簡単な説明】
【００８５】
【図１】本発明によるウェットティシュ容器の一実施の形態を示す斜視図。
【図２】キャップが開いたウェットティシュ容器を示す斜視図。
【図３】ウェットティシュ容器を示す側断面図。
【図４】ウェットティシュ容器の上方部および作動体を示す図。
【図５】ウェットティシュ容器の作動体を示す図。
【図６】図３のＡ−Ａ断面図。
【図７】ウェットティッシュ容器の上方部を示す斜視図。
【図８】コイルバネの取付構造を示す図。
【図９】密閉袋の下方部への収納状態を示す図。
【図１０】密閉袋の下方部への収納状態を示す図。
【図１１】ウェットティッシュ容器の上方部を示す裏面図。
【図１２】下方部の回動軸と上方部の係合部を示す図。
【符号の説明】
【００８６】
１０  ウェットティシュ容器
１１  下方部
１１ａ  回動軸
１１ｂ  係合突起
１１ｃ  周縁リブ
１２  上方部
１２ａ  係合部
１２ｂ  係止突起
１２ｃ  インナリブ
１３  開口
１５  キャップ
１５ａ  係合リブ
１５ｂ  周縁リブ
１５ｃ  コイルバネ
１５ｄ  傾斜面
１７  保持リブ
２０  作動体
２０ａ  凹面
２０ｂ  スライドリブ
２０ｃ  ストッパ
２０ｄ  スプリング
２１  振動軸
２２  閉孔
２２ａ  保持板
２５  カバー
２６  引掛りリブ
２６ａ  開きリブ
３０  間隙
３１  補強リブ
３２  摺動突起
３３  スライド溝
３５  作動体用凹部
３６  裏面
３７  裏面
４０  コイルバネの一端
４１  コイルバネの他端
４３  開口
４４  係止溝
４５  係止溝
４６  周縁突部
４７  嵌合溝
４７ａ  突起
【図１】
2005255221.tif 000003
【図２】
2005255221.tif 000004
【図３】
2005255221.tif 000005
【図４】
2005255221.tif 000006
【図５】
2005255221.tif 000007
【図６】
2005255221.tif 000008
【図７】
2005255221.tif 000009
【図８】
2005255221.tif 000010
【図９】
2005255221.tif 000011
【図１０】
2005255221.tif 000012
【図１１】
2005255221.tif 000013
【図１２】
2005255221.tif 000014